(57)【要約】本発明は、識別を目的とするチップ・カード受信機（２８）と、ディスプレイ・ユニット（３０）と、リモート・サーバに適切な信号を送信しかつ／またはこれを受信するための回路とを備える電話装置に関し、上記装置は唯一電話線を動力源とし、上記回路はさらに、電話がオフフック状態であることを認識し、これにより受信機及びマイクロホンをミュートしてキーパッドを無効化するＣＡＳ受信手段と、適切なＤＴＭＦ信号をリモート・サーバへ送信するＤＴＭＦ発生器手段と、ＦＳＫ信号受信手段及び上記信号を変換してディスプレイ・ユニット（３０）に表示する手段と、外部チップ・カードを受け入れて上記カード内のデータを上記リモート・サーバへ送信するチップ・カード読取り機と、ユーザの口座に残高があればキーパッドを有効化しかつ受信機とマイクロホンのミュートを解除してユーザが意図された番号をダイヤルできるようにする手段とを備える。
2005506805.tif 000002
【特許請求の範囲】
【請求項１】
チップ・カード読取り機と、ディスプレイ・ユニットと、カードのデータをリモート・サーバに送信しかつ上記サーバから適切な信号を受信して、リモート・サーバに記憶されたユーザの口座に残高があればユーザが電話を掛けられるようにする回路とを含み、よって上記電話は唯一電話線を動力源とする電話装置であって、
上記回路はさらに、電話機がオフフック状態であることを認識して適宜受信機、マイクロホンをミュートしかつキーパッドを無効化するＣＡＳ受信手段と、
適切なＤＴＭＦ信号をリモート・サーバに送信するＤＴＭＦ発生器手段と、
ＦＳＫ信号受信手段と、上記信号を変換してディスプレイ・ユニットに表示する手段と、
外部チップ・カードを受け入れて上記チップ・カード内のデータを上記リモート・サーバに送信するチップ・カード読取り機と、
ユーザの口座に残高があれば、キーパッドを有効化しかつ受信機とマイクロホンのミュートを解除してユーザが意図された番号をダイヤルできるようにする手段とを備える電話装置。
【請求項２】
表示されるメッセージ・データはＦＳＫ発信を介してリモート・サーバから受信される請求項１に記載の電話装置。
【発明の詳細な説明】
【技術分野】
【０００１】
本発明は、通話料金前払い方式の電話装置に関する。より特定的には、本発明は、識別を目的とするチップ・カード受信機と、ディスプレイ・ユニットと、リモート・サーバに適切な信号を送信しかつ／またはこれを受信するための回路とを備え、前記装置は唯一電話線を動力源とする電話装置に関する。
【背景技術】
【０００２】
現在、基本的電話機能しか保有しない通常の固定電話は、電話回線によってのみ電源を供給される。しかしながら、ディスプレイ・ユニット及びカード読取り手段を有するより複雑な電話機は通常、追加される周辺機器を作動させる追加の電源を必要とする。追加的な電源は、アダプタ・ユニットまたはバッテリの形式である。上記追加電源を排除する１つの方法は、回路に補助的な充電キャパシタを組み込むことである。
【発明の開示】
【発明が解決しようとする課題】
【０００３】
従って本発明は、電話回線からの電源供給は別として、あらゆる追加的な電源使用を排除することを目的とし、本電話装置は、ディスプレイ・ユニットと、カード読取り機と、本電話をプリペイド・カードを受け入れてプリペイド・カード内のデータを検証目的でリモート・サーバに送信し、よってユーザが電話を掛けることを許可し、かつさらにユーザの口座内の残高を表示する手段として保有するためにＣＡＳ及びＦＳＫ信号を受信しかつＤＴＭＦ信号を発生させる能力のある回路とを含む。
【課題を解決するための手段】
【０００４】
以上、改良型電話装置を提示した。従って、本発明の第１の実施形態によれば、電話装置は、チップ・カード読取り機と、ディスプレイ・ユニット（３０）と、カードのデータをリモート・サーバに送信しかつ上記サーバから適切な信号を受信して、リモート・サーバに記憶されたユーザの口座に残高があればユーザが電話を掛けられるようにする回路とを含み、よって上記電話はライン電源専用であり、上記回路はさらに、電話機がオフフック状態であることを認識して適宜受信機、マイクロホンをミュートしかつキーパッドを無効化するＣＡＳ受信手段と、適切なＤＴＭＦ信号をリモート・サーバに送信するＤＴＭＦ発生器手段と、ＦＳＫ信号受信手段と、上記信号を変換してディスプレイ・ユニット（３０）に表示する手段と、外部チップ・カードを受け入れて上記チップ・カード内のデータを上記リモート・サーバに送信するチップ・カード読取り機と、ユーザの口座に残高があれば、キーパッドを有効化しかつ受信機とマイクロホンのミュートを解除してユーザが意図された番号をダイヤルできるようにする手段とを備える。
【発明を実施するための最良の形態】
【０００５】
図１によれば、電話機がオフフック状態にある、即ち受話器が持ち上げられていれば、電話線からの電力は、４つのダイオードより成る全波ブリッジ整流回路（Ｄ１）を介して流れる。電話回線（３２）から最大の電力を得るように、ショットキ・ダイオードを使用して電圧降下が低くされる。この段階で、リモート・サーバは電話機がオフフック状態であることを検出し、ＣＡＳ（呼び出し警告信号）トーンを送出する。サーバが信号を検出して返す方法は、本発明の範囲を超えることから説明は行わない。上記ダイオードは、抵抗器とキャパシタとから成るフィルタ回路（１４）に接続される。トランジスタを備える切換回路で作製されるオフフック検出器（１６）は、フィルタ回路（１４）と平列に接続される。切換回路の出力は、マイクロコントローラ（２０）に供給され、よってマイクロコントローラ（２０）は電話機がオフフック状態にあることを検出する。電話機がオフフック状態にあれば、集積電話回路は活動状態にあり、ライン電圧ＶＬは同回路を作動させる。フィルタ回路（１４）及び切換回路を使用しなくても本発明による電話機は作動することが可能であるが、効率は下がる。この実施形態では、切換回路の出力を使用する代わりに、ＶＬがマイクロコントローラ（２０）に供給され、電話機がオフフックか否かが決定される。
【０００６】
本好適な実施形態によれば、先述のようにＣＡＳ信号がサーバから受信されると、これは、適切なＤＴＭＦ信号が応答確認としてリモート・サーバに送信されるように始動させる。この段階で、マイクロコントローラ（２０）は集積電話回路（２５）のスイッチに関連信号を送り、受信機、マイクロホンをミュートしてキーパッド（３７）を無効化し、カード読取り機を有効化する。マイクロコントローラ（２０）は、サーバから送信されたデータを受信し、ＬＣＤディスプレイユニット（３０）にメッセージを表示する。マイクロコントローラに接続された発振回路は、パルス幅変調（ＰＷＭ）の出力によって生成される周波数の精度を保証するために必要である。低域通過フィルタ（３３）は、マイクロコントローラの方形波ＰＷＭ出力を正弦波ＦＳＫ信号に変換するために使用される。完全なメッセージが受信され、かつチェックサムが良好であれば、ＤＴＭＦ発生器は応答確認として適切なＤＴＭＦトーンを送信する。チェックサムは、エラー・メッセージが受信されているかどうかを識別する手段である。チェックサムがＯＫでない場合、マイクロコントローラ（２０）はマイクロホンと受信機のミュートを解除し、キーパッドを有効化して全メッセージを拒絶する。
【０００７】
最後のＤＴＭＦトーンの送信から約１００ｍｓの短期間の後に、カード挿入というメッセージのどこがマイクロコントローラ（２０）へ送信されるかがチェックされ、マイクロコントローラ（２０）は、受信機のミュートは解除するがマイクロホンはミュートされたままにしてカードの挿入を待機する。上記メッセージが通過していなければ、マイクロコントローラ（２０）はマイクロホンと受信機のミュートを解除し、キーパッドを有効化する。電話機は、オフフック状態に戻る。受信されるメッセージの有効性をチェックする方法は、マイクロコントローラに格納されたソフトウェアによって行われる。
【０００８】
所定の期間内にメッセージが送信されなければ、マイクロコントローラ（２０）はマイクロホンと受信機のミュートを解除し、キーパッドを有効化する。メッセージは基本的に、ユーザがチップ・カードを挿入することを要求する。ユーザは、メッセージを読んで上記チップ・カードを挿入する。マイクロコントローラ（２０）はカードの挿入を検出し、次いでカードに記憶されかつ無効化されたデータを読み取る。ＦＳＫ送信から短期間（ミリ秒単位）の後、マイクロコントローラ（２０）はマイクロホンと受信機のミュートを解除してキーパッドを有効化し、電話機はオフフック状態になる。
【０００９】
カードが有効であれば、電話機はＦＳＫ送信にけるメッセージを受信し、これを表示する。マイクロコントローラ（２０）はまた、サーバからキーパッドを有効化するキーパッド有効化信号を受信する。これによりマイクロコントローラ（２０）は、集積電話回路（２５）に信号を送信し、キーパッドを有効化しかつ受信機及びマイクロホンのミュートを解除する。
【００１０】
ユーザは、番号の挿入を要求するディスプレイ・ユニット（３０）を見て、所望の番号を入力する。番号は、ユーザの便宜のためにディスプレイ・ユニット（３０）上に表示される。入力された数字は、ＤＴＭＦトーンを介して、呼び出しを転送するサーバに送られる。従来型の任意の電話機の場合と同様に、回線が通じると、ダイヤル・トーンは終了し、ユーザは会話を開始する。この段階で、マイクロコントローラ（２０）は、予め決められた間隔でサーバからメッセージを受信し、ユーザの口座残高を表示する。残高が減分される方法はサーバ・ユニットによって実行されるが、これは本発明の範囲を超えるものである。
【００１１】
受話器がフックに掛けられると、電話機は、（Ｄ２）が電話回線（３２）によって供給される電源に接続されるオンフック状態になる。電話機は、電話機に接続された従来型のリンガ回路（３４）を有する。呼び出し信号を検出するために、光学カプラ（３６）と上記（Ｄ２）回路が追加される。光学カプラの代わりに、他のガルバニ分離手段も使用可能である。回路は、最後の５秒間に信号を送り、かつ呼び出しが着信呼び出しであるか発信呼び出しであるかを決定するサンプル及びホールド・ユニットによって拡張される。
【００１２】
フック・スイッチ（３８）は、システムをパワーダウン・モードから起動する唯一の手段である。
【００１３】
ＣＡＳ信号の特徴は、下記の通りである。
周波数限界：低域トーン：２１３０Ｈｚ＋／−０．５％
高域トーン：２７５０Ｈｚ＋／−０．５％
ダイナミック・レンジ：−３２〜−１４ｄＢｍ（トーン当たり）
ダイナミック・レンジ内の出力差：０〜６ｄｂ（トーン間）
トーン持続時間：７５〜８５ｍｓ
【００１４】
ＤＴＭＦトーンの特徴は、下記の通りである。
ＤＴＭＦトーン（送信専用）周波数限界：
低または低周波数公差：＋／−０．５％
電力レベル（低域トーン）：−９．５＋／−１ｄｂ
電力レベル（高域トーン）：−７．５＋／−ｄｂ
トーン持続時間：５５〜６５ｍｓ
【００１５】
ＦＳＫ信号の物理的特徴は、下記の通りである。
ベル２０２  １２００ボー  ＦＳＫ（周波数シフト・キーイング）信号
変調タイプ：位相バイナリ周波数シフトキーイングを連続する
マーク（論理１）：１２００＋／−１２Ｈｚ
スペース（論理０）：２２００＋／−２２Ｈｚ
受信信号レベル１２００Ｈｚ：−３２ｄＢｍ〜−１２ｄＢｍ
受信信号レベル２２００Ｈｚ：−３６ｄＢｍ〜−１２ｄＢｍ
信号対歪み比：≧２５ｄＢ
伝送速度：１２００＋／−１２ボー
【００１６】
本明細書における図面及び説明は、本発明を単に例示するものであって、本発明の実施形態の唯一かつ全体的範囲を表すものではなく、本発明は、本明細書において記述された方法及び様々な実施形態の特徴の多くの組み合わせが可能である点は留意されなければならない。説明された特徴は各々、本発明の精神または実用的原則から逸脱することなく当業者によって変更、改良または改造されることが可能であり、本発明の範囲は添付の特許請求の範囲によって定義される。
【図面の簡単な説明】
【００１７】
【図１】本発明のブロック図を示す。
【図２−ａ】好適な実施形態の回路図を示す。
【図２−ｂ】好適な実施形態の回路図を示す。
【図３】オフフック状態にある電話機の典型的な通信手順の一例を示す。
【図１】
2005506805.tif 000003
【図２−ａ】
2005506805.tif 000004
【図２−ｂ】
2005506805.tif 000005
【図３】
2005506805.tif 000006
【国際公開パンフレット】
2005506805.tif 000007
2005506805.tif 000008
2005506805.tif 000009
2005506805.tif 000010
2005506805.tif 000011
2005506805.tif 000012
2005506805.tif 000013
2005506805.tif 000014
2005506805.tif 000015
2005506805.tif 000016
2005506805.tif 000017
2005506805.tif 000018
2005506805.tif 000019
2005506805.tif 000020
【国際調査報告】
2005506805.tif 000021
2005506805.tif 000022
2005506805.tif 000023